(57)【要約】【課題】携帯端末と画像記録装置が固有情報に基づく無線通信を確立させることができない状況においても、携帯端末に記憶された画像データを画像記録装置に印刷させることができる携帯端末、上記状況において携帯端末に記憶された画像データを印刷する。【解決手段】ＮＦＣ方式で、モバイルデバイスから接続要求を受信したＭＦＰは、ＷＦＤ方式による接続が許可されなければＮＧを送信する。モバイルデバイスが代替サーバ情報を選択してＭＦＰに送信する。ＭＦＰは、代替サーバに接続可能と判断すればＯＫを送信する。モバイルデバイスは、印刷ジョブを当該代替サーバにアップロードし、当該印刷ジョブを示すＵＲＬを、ＭＦＰに送信する。ＵＲＬを受信したＭＦＰは、ＵＲＬに基づいて印刷ジョブをダウンロードし、ダウンロードした印刷ジョブにしたがって印刷を実行する。【選択図】図７
2014149666.tif 000002
【特許請求の範囲】
【請求項１】
携帯端末と、記録媒体に画像を記録する画像記録装置とを有する画像記録システムであって、
前記携帯端末が、
画像データを記憶する第１記憶手段と、
前記携帯端末に関する第１固有情報を記憶する第２記憶手段と、
送信元及び受信元の装置間の距離が所定の通信可能距離内となることで確立される第１無線通信を行うための携帯端末側第１通信手段と、
送信元及び受信元の装置のそれぞれに係る固有情報に基づいて確立される、前記第１無線通信よりも通信速度が速い第２無線通信を行うための携帯端末側第２通信手段と、
第１制御手段と、を備え、
前記第１制御手段は、
前記携帯端末側第１通信手段により前記第１無線通信を行うことが可能であり、
前記携帯端末側第２通信手段により前記第２無線通信を行うことが可能であり、
前記第１記憶手段に記憶された前記画像データのいずれかを、当該画像データに関する画像を記録媒体に記録させる対象画像データとして選択し、
前記第１記憶手段に記憶された前記携帯端末に係る固有情報を前記第１無線通信により画像記録装置へ送信し、
前記対象画像データを選択した後、当該対象画像データを前記印刷装置、又は前記印刷装置及び前記携帯端末と通信可能なサーバへ送信し、
前記画像記録装置が、
前記画像データに係る画像を前記記録媒体に記録する記録手段と、
前記画像記録装置に係る固有情報を記憶する第３記憶手段と、
前記第１無線通信を行うための画像記録装置側第１通信手段と、
前記第２無線通信を行うための画像記録装置側第２通信手段と、
第２制御手段と、を備え、
前記第２制御手段は、
前記画像記録装置側第１通信手段により前記第１無線通信を行うことが可能であり、
前記画像記録装置側第２通信手段により前記第２無線通信を行うことが可能であり、
前記第１無線通信により前記携帯端末に係る固有情報を受信したとき、前記携帯端末との間で前記第２無線通信を行うことができるか否かを判断し、
前記第２無線通信を行うことができると判断したとき、前記第１無線通信により前記画像記録装置に係る固有情報を前記携帯端末に送信し、
前記第２無線通信を行うことができないと判断したとき、前記第１無線通信により当該判断結果を示す通信不能情報を前記携帯端末に送信し、
前記携帯端末が備える前記第１制御手段は、
前記第１通信無線通信により前記画像記録装置に係る固有情報を受信したときは、前記対象画像データを、前記第２無線通信により前記画像記録装置へ送信し、前記第１無線通信手段により前記通信不能情報を受信したときは、前記対象画像データを前記第２無線通信、又は前記第１無線通信及び前記第２無線通信とは異なる第１代替通信により前記サーバに送信し、
前記画像記録装置が備える前記第２制御手段は、
第２無線通信を行うことができると判断したとき、前記画像記録装置に係る固有情報を前記携帯端末に送信した後、前記第２無線通信手段により前記携帯端末から前記対象画像データを受信し、当該受信させた対象画像データに係る画像を前記記録手段に記録させ、
前記第２無線通信を行うことができないと判断したとき、前記第１無線通信により前記通信不能情報を前記携帯端末に送信した後、前記第２無線通信、又は前記第１無線通信、前記第２無線通信及び前記第１代替通信とは異なる第２代替通信により前記サーバから前記対象画像データを受信し、当該受信させた対象画像データに係る画像を、前記記録手段に記録させることを特徴とする画像記録システム。
【請求項２】
前記携帯端末と前記画像記録装置のうち、一方の装置に係る前記第１制御手段または前記第２制御手段は、自身が通信可能な前記サーバについて、他方の装置が通信可能であるかを問い合わせる問い合わせ情報を、前記第１無線通信により他方の装置へ送信し、
前記他方の装置に係る前記第１制御手段または前記第２制御手段は、前記第１無線通信により前記問い合わせ情報を受信すると、前記問い合わせ情報が問い合わせる前記サーバへの通信の可否を示す応答情報を前記一方の装置へ前記第１無線通信により送信し、
前記携帯端末が備える前記第１制御手段は、前記応答情報において前記他方の装置が通信可能であるとされたサーバへ前記対象画像データを送信することを特徴とする請求項１に記載の画像記録システム。
【請求項３】
前記携帯端末が備える前記第１制御手段は、前記サーバに送信された前記画像データの保存場所を示すアドレス情報を、前記第１無線通信により前記画像記録装置に送信することを特徴とする請求項２に記載の画像記録システム。
【請求項４】
前記携帯端末が備える前記第１制御手段は、前記対象画像データを前記サーバへ送信した後に、当該サーバから前記アドレス情報を受信し、当該受信したアドレス情報を前記画像記録装置へ送信することを特徴とする請求項３に記載の画像記録システム。
【請求項５】
前記第１代替通信は公衆電話回線を用いる通信であり、前記携帯端末は前記第１代替通信を行うための第３通信手段をさらに備えており、
前記携帯端末が備える前記第１制御手段は、前記第３通信手段により前記第３無線通信が可能であることを特徴とする請求項１〜４のいずれか１項に記載の画像記録システム。
【請求項６】
画像データに係る画像を前記記録媒体に記録する記録手段と、
前記画像記録装置に係る固有情報を記憶する記憶手段と、
送信元及び受信元の装置間の距離が所定の通信可能距離内となることで確立される第１無線通信を行うための第１通信手段と、
送信元及び受信元の装置のそれぞれに係る固有情報に基づいて確立される、前記第１無線通信よりも通信速度が速い第２無線通信を行うための第２通信手段と、
制御手段と、を備えた画像記録装置であって、
前記制御手段は、
前記第１通信手段により前記第１無線通信を行うことが可能であり、
前記第２通信手段により前記第２無線通信を行うが可能であり、
前記第１無線通信により前記携帯端末に係る固有情報を受信しとき、前記携帯端末との間で前記第２無線通信を行うことができるか否かを判断し、
前記第２無線通信を行うことができると判断したとき、前記第１無線通信手段により前記画像記録装置に係る固有情報を前記携帯端末に送信し、前記画像記録装置に係る固有情報を前記携帯端末に送信した後、前記１無線通信により前記携帯端末から前記対象画像データを受信し、当該受信した対象画像データに係る画像を前記記録手段に記録させ、
前記第２無線通信を行うことができないと判断したとき、前記第１無線通信により当該判断結果を示す通信不能情報を前記携帯端末に送信し、前記通信不能情報を前記携帯端末に送信した後、前記第２無線通信、又は前記第１無線通信、前記第２無線通信及び前記第１代替通信とは異なる第２代替通信により前記サーバから前記対象画像データを受信し、当該受信させた対象画像データに係る画像を、前記記録手段に記録させることを特徴とする画像記録装置。
【請求項７】
画像データに係る画像を前記記録媒体に記録する記録手段、前記画像記録装置に係る固有情報を記憶する記憶手段、送信元及び受信元の装置間の距離が所定の通信可能距離内となることで確立される第１無線通信を行うための第１通信手段、及び、送信元及び受信元の装置のそれぞれに係る固有情報に基づいて確立される前記第１無線通信よりも通信速度が速い第２無線通信を行うための第２通信手段を有する画像記録装置において、制御手段としてコンピュータを機能させるプログラムであって、
前記第１通信手段により前記第１無線通信を行わせることが可能であり、
前記第２通信手段により前記第２無線通信を行わせることが可能であり、
前記第１無線通信により前記携帯端末に係る固有情報を受信したとき、前記携帯端末との間で前記第２無線通信を行うことができるか否かを判断し、
前記第２無線通信を行うことができると判断したとき、前記第１無線通信手段により前記画像記録装置に係る固有情報を前記携帯端末に送信し、前記画像記録装置に係る固有情報を前記携帯端末に送信した後、前記２無線通信により前記携帯端末から前記対象画像データを受信し、当該受信した対象画像データに係る画像を前記記録手段に記録させ、
前記第２無線通信を行うことができないと判断したとき、前記第１無線通信により当該判断結果を示す通信不能情報を前記携帯端末に送信し、前記通信不能情報を前記携帯端末に送信した後、前記第２無線通信、又は前記第１無線通信、前記第２無線通信及び前記第１代替通信とは異なる第２代替通信により前記サーバから前記対象画像データを受信し、当該受信した対象画像データに係る画像を、前記記録手段に記録させるように前記制御手段を機能させることを特徴とするプログラム。
【請求項８】
画像データを記憶する第１記憶手段と、
前記携帯端末に関する第１固有情報を記憶する第２記憶手段と、
送信元及び受信元の装置間の距離が所定の通信可能距離内となることで確立される第１無線通信を行うための第１通信手段と、
送信元及び受信元の装置のそれぞれに係る固有情報に基づいて確立される、前記第１無線通信よりも通信速度が速い第２無線通信を行うための第２通信手段と、
制御手段と、を備え、
前記制御手段は、
前記第１通信手段により前記第１無線通信を行うことが可能であり、
前記第２通信手段により前記第２無線通信を行うことが可能であり、
前記第１記憶手段に記憶された前記画像データのいずれかを、当該画像データに関する画像を記録媒体に記録させる対象画像データとして選択し、
前記対象画像データを選択した後、前記第１記憶手段に記憶された前記携帯端末に係る固有情報を前記第１無線通信により画像記録装置へ送信し、
前記画像記録装置から前記第１無線通信により前記画像記録装置に係る固有情報を受信したときは、前記対象画像データを、前記第２無線通信により前記画像記録装置へ送信し、
前記画像記録装置から前記第１無線通信手段により、前記第２無線通信を行うことができないことを示す通信不能情報を受信したときは、前記対象画像データを前記第２無線通信、又は前記第１通信無線通信及び前記第２無線通信とは異なる第１代替通信により前記画像記録装置と通信可能なサーバに送信することを特徴とする携帯端末。
【請求項９】
画像データを記憶する第１記憶手段、前記携帯端末に関する第１固有情報を記憶する第２記憶手段、送信元及び受信元の装置間の距離が所定の通信可能距離内となることで確立される第１無線通信を行うための第１通信手段、及び、送信元及び受信元の装置のそれぞれに係る固有情報に基づいて確立される、前記第１無線通信よりも通信速度が速い第２無線通信を有する携帯端末において、制御手段としてコンピュータを機能させるプログラムであって、
前記第１通信手段により前記第１無線通信を行わせることが可能であり、
前記第２通信手段により前記第２無線通信を行わせることが可能であり、
前記第１記憶手段に記憶された前記画像データのいずれかを、当該画像データに関する画像を記録媒体に記録させる対象画像データとして選択し、
前記対象画像データを選択した後、前記第１記憶手段に記憶された前記携帯端末に係る固有情報を前記第１無線通信により画像記録装置へ送信し、
前記画像記録装置から前記第１無線通信により前記画像記録装置に係る固有情報を受信したときは、前記対象画像データを、前記第２無線通信により前記画像記録装置へ送信し、
前記画像記録装置から前記第１無線通信手段により、前記第２無線通信を行うことができないことを示す通信不能情報を受信したときは、前記対象画像データを前記第２無線通信、又は前記第１通信無線通信及び前記第２無線通信とは異なる第１代替通信により前記画像記録装置と通信可能なサーバに送信するように、前記制御手段を機能させることを特徴とするプログラム。
【発明の詳細な説明】
【技術分野】
【０００１】
本発明は、記録媒体に画像を記録するための携帯端末、画像記録装置、これらを含む画像記録システム、及び、プログラム
【背景技術】
【０００２】
携帯端末に記憶された画像データをプリンタに送信して印刷する場合、先ず、ＮＦＣ（Near Field Communication）と呼ばれる非接触ＩＣ用無線通信規格による通信により携帯端末とプリンタとの間で固有情報を交換し、両者の間でより高速なデータ通信が可能な他の通信規格（Ｗｉ−Ｆｉ：wireless fidelity、ブルートゥースなど）による無線通信を確立させた後、画像データを送信する技術が知られている（例えば、特許文献１参照）。
【０００３】
【特許文献１】特開２０１０−２４１１１４号公報
【発明の概要】
【発明が解決しようとする課題】
【０００４】
上記技術では、Ｗｉ−Ｆｉやブルートゥースなどの通信規格による通信を行うと、プリンタのＩＰアドレスなどの固有情報が携帯端末に送信されることになる。一般にネットワークプリンタは、そのネットワークプリンタの固有情報を宛先として含むコマンドを送ることで制御できる。制御の内容は印刷指示に限らず、記憶部に記憶されたファイルを取得したり、ネットワークプリンタのネットワーク設定及び印刷設定等の各種設定を編集したりすることも可能である。そのため、プリンタにとって、全ての携帯端末に固有情報を返信することは、セキュリティ上好ましくない。しかし、プリンタにおいて、携帯端末への固有情報の返信を制限すると、印刷が行えない。
【０００５】
本発明の目的は、携帯端末と画像記録装置が固有情報に基づく無線通信を確立させることができない状況においても、携帯端末に記憶された画像データを画像記録装置に印刷させることができる携帯端末、上記状況において携帯端末に記憶された画像データを印刷することができる画像記録装置、これらを含む画像記録システム、及び、プログラムを提供することである。
【課題を解決するための手段】
【０００６】
本発明の画像記録システムは、携帯端末と、記録媒体に画像を記録する画像記録装置とを有する画像記録システムである。前記携帯端末が、画像データを記憶する第１記憶手段と、前記携帯端末に関する第１固有情報を記憶する第２記憶手段と、送信元及び受信元の装置間の距離が所定の通信可能距離内となることで確立される第１無線通信を行うための携帯端末側第１通信手段と、送信元及び受信元の装置のそれぞれに係る固有情報に基づいて確立される、前記第１無線通信よりも通信速度が速い第２無線通信を行うための携帯端末側第２通信手段と、第１制御手段と、を備え、前記第１制御手段は、前記携帯端末側第１通信手段により前記第１無線通信を行うことが可能であり、前記携帯端末側第２通信手段により前記第２無線通信を行うことが可能であり、  前記第１記憶手段に記憶された前記画像データのいずれかを、当該画像データに関する画像を記録媒体に記録させる対象画像データとして選択し、前記第１記憶手段に記憶された前記携帯端末に係る固有情報を前記第１無線通信により画像記録装置へ送信し、前記対象画像データを選択した後、当該対象画像データを前記印刷装置、又は前記印刷装置及び前記携帯端末と通信可能なサーバへ送信し、前記画像記録装置が、前記画像データに係る画像を前記記録媒体に記録する記録手段と、前記画像記録装置に係る固有情報を記憶する第３記憶手段と、前記第１無線通信を行うための画像記録装置側第１通信手段と、前記第２無線通信を行うための画像記録装置側第２通信手段と、第２制御手段と、を備え、前記第２制御手段は、前記画像記録装置側第１通信手段により前記第１無線通信を行うことが可能であり、前記画像記録装置側第２通信手段により前記第２無線通信を行うことが可能であり、前記第１無線通信により前記携帯端末に係る固有情報を受信したとき、前記携帯端末との間で前記第２無線通信を行うことができるか否かを判断し、前記第２無線通信を行うことができると判断したとき、前記第１無線通信により前記画像記録装置に係る固有情報を前記携帯端末に送信し、前記第２無線通信を行うことができないと判断したとき、前記第１無線通信により当該判断結果を示す通信不能情報を前記携帯端末に送信し、前記携帯端末が備える前記第１制御手段は、前記第１通信無線通信により前記画像記録装置に係る固有情報を受信したときは、前記対象画像データを、前記第２無線通信により前記画像記録装置へ送信し、前記第１無線通信手段により前記通信不能情報を受信したときは、前記対象画像データを前記第２無線通信、又は前記第１無線通信及び前記第２無線通信とは異なる第１代替通信により前記サーバに送信し、前記画像記録装置が備える前記第２制御手段は、第２無線通信を行うことができると判断したとき、前記画像記録装置に係る固有情報を前記携帯端末に送信した後、前記第２無線通信手段により前記携帯端末から前記対象画像データを受信し、当該受信させた対象画像データに係る画像を前記記録手段に記録させ、前記第２無線通信を行うことができないと判断したとき、前記第１無線通信により前記通信不能情報を前記携帯端末に送信した後、前記第２無線通信、又は前記第１無線通信、前記第２無線通信及び前記第１代替通信と���異なる第２代替通信により前記サーバから前記対象画像データを受信し、当該受信させた対象画像データに係る画像を、前記記録手段に記録させる。なお、本発明に係る画像記録システムにおいて、第１記憶手段と第２記憶手段は一体であっても別体であってもよい。
【０００７】
本発明の画像記録装置は、画像データに係る画像を前記記録媒体に記録する記録手段と、前記画像記録装置に係る固有情報を記憶する記憶手段と、送信元及び受信元の装置間の距離が所定の通信可能距離内となることで確立される第１無線通信を行うための第１通信手段と、送信元及び受信元の装置のそれぞれに係る固有情報に基づいて確立される、前記第１無線通信よりも通信速度が速い第２無線通信を行うための第２通信手段と、制御手段と、を備えた画像記録装置であって、前記制御手段は、前記第１通信手段により前記第１無線通信を行うことが可能であり、前記第２通信手段により前記第２無線通信を行うが可能であり、前記第１無線通信により前記携帯端末に係る固有情報を受信しとき、前記携帯端末との間で前記第２無線通信を行うことができるか否かを判断し、前記第２無線通信を行うことができると判断したとき、前記第１無線通信手段により前記画像記録装置に係る固有情報を前記携帯端末に送信し、前記画像記録装置に係る固有情報を前記携帯端末に送信した後、前記１無線通信により前記携帯端末から前記対象画像データを受信し、当該受信した対象画像データに係る画像を前記記録手段に記録させ、前記第２無線通信を行うことができないと判断したとき、前記第１無線通信により当該判断結果を示す通信不能情報を前記携帯端末に送信し、前記通信不能情報を前記携帯端末に送信した後、前記第２無線通信、又は前記第１無線通信、前記第２無線通信及び前記第１代替通信とは異なる第２代替通信により前記サーバから前記対象画像データを受信し、当該受信させた対象画像データに係る画像を、前記記録手段に記録させる。
【０００８】
本発明のプログラムは、画像データに係る画像を前記記録媒体に記録する記録手段、前記画像記録装置に係る固有情報を記憶する記憶手段、送信元及び受信元の装置間の距離が所定の通信可能距離内となることで確立される第１無線通信を行うための第１通信手段、及び、送信元及び受信元の装置のそれぞれに係る固有情報に基づいて確立される前記第１無線通信よりも通信速度が速い第２無線通信を行うための第２通信手段を有する画像記録装置において、制御手段としてコンピュータを機能させるプログラムであって、前記第１通信手段により前記第１無線通信を行わせることが可能であり、前記第２通信手段により前記第２無線通信を行わせることが可能であり、前記第１無線通信により前記携帯端末に係る固有情報を受信したとき、前記携帯端末との間で前記第２無線通信を行うことができるか否かを判断し、前記第２無線通信を行うことができると判断したとき、前記第１無線通信手段により前記画像記録装置に係る固有情報を前記携帯端末に送信し、前記画像記録装置に係る固有情報を前記携帯端末に送信した後、前記２無線通信により前記携帯端末から前記対象画像データを受信し、当該受信した対象画像データに係る画像を前記記録手段に記録させ、前記第２無線通信を行うことができないと判断したとき、前記第１無線通信により当該判断結果を示す通信不能情報を前記携帯端末に送信し、前記通信不能情報を前記携帯端末に送信した後、前記第２無線通信、又は前記第１無線通信、前記第２無線通信及び前記第１代替通信とは異なる第２代替通信により前記サーバから前記対象画像データを受信し、当該受信した対象画像データに係る画像を、前記記録手段に記録させるように前記制御手段を機能させる画像データに係る画像を前記記録媒体に記録する記録手段、前記画像記録装置に係る固有情報を記憶する記憶手段、送信元及び受信元の装置間の距離が所定の通信可能距離内となることで確立される第１無線通信を行うための第１通信手段、及び、送信元及び受信元の装置のそれぞれに係る固有情報に基づいて確立される、前記第１無線通信よりも通信速度が速い第２無線通信を行うための第２通信手段を有する画像記録装置において、制御手段としてコンピュータを機能させるプログラムであって、前記第１通信手段を介して前記第１無線通信を行わせることが可能であり、前記第２通信手段を介して前記第２無線通信を行わせることが可能であり、前記第１無線通信により前記携帯端末に係る固有情報を受信させたとき、前記携帯端末との間で前記第２無線通信を行うことができるか否かを判断し、前記第２無線通信を行うことができると判断したとき、前記第１無線通信手段により前記画像記録装置に係る固有情報を前記携帯端末に送信し、前記画像記録装置に係る固有情報を前記携帯端末に送信した後、前記１無線通信により前記携帯端末から前記対象画像データを受信させ、当該受信させた対象画像データに係る画像を前記記録手段に記録させ、前記第２無線通信を行うことができないと判断したとき、前記第１無線通信により当該判断結果を示す通信不能情報を前記携帯端末に送信し、前記通信不能情報を前記携帯端末に送信した後、前記第２無線通信、又は前記第１無線通信、前記第２無線通信及び前記第１代替通信とは異なる第２代替通信により前記サーバから前記対象画像データを受信させ、当該受信させた対象画像データに係る画像を、前記記録手段に記録させるように前記制御手段を機能させる。
【０００９】
本発明の携帯端末は、画像データを記憶する第１記憶手段と、前記携帯端末に関する第１固有情報を記憶する第２記憶手段と、送信元及び受信元の装置間の距離が所定の通信可能距離内となることで確立される第１無線通信を行うための第１通信手段と、送信元及び受信元の装置のそれぞれに係る固有情報に基づいて確立される、前記第１無線通信よりも通信速度が速い第２無線通信を行うための第２通信手段と、制御手段と、を備え、前記制御手段は、前記第１通信手段により前記第１無線通信を行うことが可能であり、前記第２通信手段により前記第２無線通信を行うことが可能であり、前記第１記憶手段に記憶された前記画像データのいずれかを、当該画像データに関する画像を記録媒体に記録させる対象画像データとして選択し、前記対象画像データを選択した後、前記第１記憶手段に記憶された前記携帯端末に係る固有情報を前記第１無線通信により画像記録装置へ送信し、前記画像記録装置から前記第１無線通信により前記画像記録装置に係る固有情報を受信したときは、前記対象画像データを、前記第２無線通信により前記画像記録装置へ送信し、前記画像記録装置から前記第１無線通信手段により、前記第２無線通信を行うことができないことを示す通信不能情報を受信したときは、前記対象画像データを前記第２無線通信、又は前記第１通信無線通信及び前記第２無線通信とは異なる第１代替通信により前記画像記録装置と通信可能なサーバに送信する。
【００１０】
別の観点から本発明のプログラムは、画像データを記憶する第１記憶手段、前記携帯端末に関する第１固有情報を記憶する第２記憶手段、送信元及び受信元の装置間の距離が所定の通信可能距離内となることで確立される第１無線通信を行うための第１通信手段、及び、送信元及び受信元の装置のそれぞれに係る固有情報に基づいて確立される、前記第１無線通信よりも通信速度が速い第２無線通信を有する携帯端末において、制御手段としてコンピュータを機能させるプログラムであって、前記第１通信手段により前記第１無線通信を行わせることが可能であり、前記第２通信手段により前記第２無線通信を行わせることが可能であり、前記第１記憶手段に記憶された前記画像データのいずれかを、当該画像データに関する画像を記録媒体に記録させる対象画像データとして選択し、前記対象画像データを選択した後、前記第１記憶手段に記憶された前記携帯端末に係る固有情報を前記第１無線通信により画像記録装置へ送信し、前記画像記録装置から前記第１無線通信により前記画像記録装置に係る固有情報を受信したときは、前記対象画像データを、前記第２無線通信により前記画像記録装置へ送信し、前記画像記録装置から前記第１無線通信手段により、前記第２無線通信を行うことができないことを示す通信不能情報を受信したときは、前記対象画像データを前記第２無線通信、又は前記第１通信無線通信及び前記第２無線通信とは異なる第１代替通信により前記画像記録装置と通信可能なサーバに送信するように、前記制御手段を機能させる。
【発明の効果】
【００１１】
本発明によると、特定の固有情報を有する携帯端末にのみ、画像記録装置の固有情報を開示して無線データ通信を行うため、画像記録装置が接続されたネットワークのセキュリティが低下するのを抑制することができる。また、固有情報を開示されない場合であっても、互いに通信可能なサーバを経由することで画像データの受け渡しを確実に行うことができる。
【図面の簡単な説明】
【００１２】
【図１】本発明の一実施形態にかかる画像処理システムの構成を示す概略図である。
【図２】図１に示す複合機（ＭＦＰ）の機能ブロック図である。
【図３】図１に示すモバイルデバイスの機能ブロック図である。
【図４】図１に示すモバイルデバイスが実行する印刷処理の手順を示すフローチャートである。
【図５】図１に示す複合機が実行する印刷処理の手順を示すフローチャートである。
【図６】モバイルデバイスとＭＦＰとの間のデータ通信の手順を示すシーケンス図である。
【図７】モバイルデバイスとＭＦＰとの間のデータ通信の手順を示すシーケンス図である。
【発明を実施するための形態】
【００１３】
以下、本実施形態にかかる画像処理システムについて、添付図面を参照しつつ詳細に説明する。本実施形態は、印刷機能を有する複合機（ＭＦＰ：Multi Function Peripheral）と、ＭＦＰに印刷を実行させる印刷ジョブを受け付けるモバイルデバイスとを有する画像処理システムに本発明を適用したものである。
【００１４】
［画像処理システムの全体構成］
本実施形態の画像処理システム９００は、図１に示すように、指定されたＭＦＰに印刷ジョブを出力するモバイルデバイス１００と、印刷機能および画像読取機能（スキャナ）を有するＭＦＰ２００（画像処理装置の一例）とを備えている。ＭＦＰ２００は、社内ネットワーク（ＬＡＮ）のルーター６００に接続されている。ルーター６００には、ＭＦＰ２００の他、図示しない複数の端末や共有ファイルサーバ３００が接続されており、互いに通信可能となっている。さらに、ＭＦＰ２００及び端末は、ファイヤーウォール４００を介してインターネットに接続可能となっている。モバイルデバイス１００は、ＭＦＰ２００との間で無線通信（ＮＦＣ方式及びＷｉ−Ｆｉダイレクト方式：後述）によって直接的にデータの送受信が可能となっている。また、モバイルデバイス１００は、無線通信（Ｗｉ−Ｆｉ方式）によってＬＡＮに接続可能となっている（認証可能な場合のみ）。さらに、モバイルデバイス１００は、無線の公衆電話回線によって、インターネットに接続可能となっている。インターネットには外部ファイルサーバ５００が接続されている。
【００１５】
ＭＦＰ２００は、カラー印刷が可能であってもモノクロ専用であってもよい。本形態では、カラー印刷が可能なものとする。また、印刷方式についても、電子写真方式であってもインクジェット方式であってもよい。また、ＭＦＰ２００は、カラー読み取りが可能であってもモノクロ専用であってもよい。本形態では、カラー読み取りが可能なものとする。また、読み取り機構についても、ＣＣＤであってもＣＩＳであってもよい。
【００１６】
［ＭＦＰの構成］
続いて、ＭＦＰ２００の概略構成について説明する。ＭＦＰ２００は、図２に示すように、ＣＰＵ３１と、ＲＯＭ３２と、ＲＡＭ３３と、フラッシュメモリ３４とを含む制御部３０を備えている。また、制御部３０は、用紙に画像を印刷する印刷機構（記録手段）１０と、原稿の画像を読み取るスキャナ１１と、動作状況の表示やユーザによる入力操作の受付を行う操作パネル４０と、ＦＡＸインターフェース３６と、ＮＦＣインターフェース３７（画像記録装置側第１通信手段の一例）と、無線ＬＡＮインターフェース３８（画像記録装置側第２通信手段の一例）と有線ＬＡＮインターフェース３９とに、電気的に接続されている。
【００１７】
ＲＯＭ３２には、ＭＦＰ２００を制御するための制御プログラムであるファームウェアや各種設定、初期値等が記憶されている。ＲＡＭ３３およびフラッシュメモリ３４は、各種制御プログラムが読み出される作業領域として、あるいはデータを一時的に記憶する記憶領域として利用される。また、フラッシュメモリ３４には、ＭＦＰ２００の固有情報（ＩＰアドレスなど）が記憶されている。
【００１８】
ＣＰＵ３１は、ＲＯＭ３２から読み出した制御プログラムや各種センサから送られる信号に従って、その処理結果をＲＡＭ３３またはフラッシュメモリ３４に記憶させながら、ＭＦＰ２００の各構成要素を制御する。
【００１９】
ＦＡＸインターフェース３６は、不図示の外部装置との通信を、公衆回線を介して可能にするインターフェースである。ＭＦＰ２００は、ＦＡＸインターフェース３６を介して外部装置から送信されるデータを受信する。さらには、ＭＦＰ２００は、ＦＡＸインターフェース３６を介して外部装置にデータを送信する。
【００２０】
ＮＦＣインターフェース３７は、ＩＳＯ／ＩＥＣ２１４８１またはＩＳＯ／ＩＥＣ１８０９２の国際標準規格に基づいて、ＮＦＣ方式の無線通信（第１無線通信）を可能にするインターフェースである。ＭＦＰ２００は、ＮＦＣインターフェース３７を介して外部装置とデータの送受信を行う。
【００２１】
無線ＬＡＮインターフェース３８は、ＩＥＥＥの８０２．１１の規格およびそれに準ずる規格に基づいて、Ｗｉ−Ｆｉダイレクト方式（ＷＦＤ方式）の無線通信（第２無線通信）を可能にするインターフェースである。ＮＦＣ方式とＷＦＤ方式とでは、通信方式（すなわち無線通信の規格）が異なり、ＷＦＤ方式の方がＮＦＣ方式よりも通信距離が長く通信速度も速い。ＭＦＰ２００は、無線ＬＡＮインターフェース３８を介して外部装置との間でデータの送受信を行う。さらに、無線ＬＡＮインターフェース３８は、Ｗｉ−Ｆｉ方式の無線通信により、ルーター６００と接続可能となっている。これにより、ＭＦＰ２００は、無線ＬＡＮインターフェース３８を介してＬＡＮ経由でＬＡＮに接続された各種装置との間でデータの送受信を行うことが可能となっている。なお、有線ＬＡＮインターフェース３９は、有線通信（第２代替通信）によりルーター６００と接続可能となっており、ＭＦＰ２００は、有線ＬＡＮインターフェース３９を介してでもＬＡＮ経由でＬＡＮに接続された各種装置との間でデータの送受信を行うことが可能となっている。
【００２２】
なお、ＷＦＤ方式は、ネットワークを管理するグループオーナー機器と、クライアント機器とでネットワークを構築し、そのネットワーク内でデータの受け渡しを可能にする通信方式である。そのため、無線ＬＡＮインターフェース３８を介して外部装置とデータ通信を行うには、当該外部装置と無線通信を確立させ、ＷＦＤネットワークを構築する必要がある。本形態では、ＭＦＰ２００がＷＦＤネットワークを構築する際のグループオーナー機器になり、モバイルデバイス１００がクライアント機器になる。クライアント機器はモバイルデバイス１００のみに限るものではなく、他のデバイスもクライアント機器としてＷＦＤネットワークに属することが可能である。ＭＦＰ２００は、クライアント機器の固有情報と、クライアント機器とＷＦＤ方式による無線通信を確立させるためのＷＦＤ接続情報とを記憶している。ＷＦＤ接続情報には、ＷＦＤネットワークを識別するための識別子であるＳＳＩＤ（Service Set IDentifier）やパスワード、ＭＦＰ２００のＩＰアドレスなど固有情報が含まれる。
【００２３】
操作パネル４０は、ユーザ入力を受け付ける各種のボタンから構成される入力部と、メッセージや設定内容を表示する画面と、ＮＦＣ方式による通信を受け付けるＮＦＣ読取部となるＮＦＣインターフェース３７とが設けられている。ＭＦＰ２００は、電源ＯＮの間、ＮＦＣインターフェース３７から発せられる信号によって、ＮＦＣ方式の無線通信が実行可能なデバイスを検出する状態になっている。そのため、例えば、ユーザがモバイルデバイス１００をＮＦＣインターフェース３７にかざすと、ＭＦＰ２００はモバイルデバイス１００を検出し、モバイルデバイス１００とＭＦＰ２００との間でＮＦＣ方式による通信が可能になる。なお、モバイルデバイス１００をＮＦＣインターフェース３７に「かざす」とは、モバイルデバイス１００をＮＦＣインターフェース３７の通信範囲内に配置する動作であり、モバイルデバイス１００とＮＦＣインターフェース３７とが接触していてもいなくてもよい。
【００２４】
［モバイルデバイスの構成］
続いて、モバイルデバイス１００の概略構成について説明する。モバイルデバイス１００は、図３に示すように、ＣＰＵ５１と、ＲＯＭ５２と、ＲＡＭ５３と、フラッシュメモリ５４（第２記憶手段）とを有する制御部５０を備えている。また、モバイルデバイス１００は、表示機能と入力機能とを兼ねるタッチパネル方式の操作パネル５５と、外部装置との通信を可能にする通信インターフェースとしてＮＦＣインターフェース５７（携帯端末側第１通信手段）および無線ＬＡＮインターフェース５８（携帯端末側第２通信手段）と、メモリーカード５９ａ（第１記憶手段）を着脱自在なメモリーカードインターフェース５９と、無線の公衆電話回線を介してデータの送受信を可能とする電話回線通信部（第３通信手段）６０とを有し、これらが制御部５０によって制御される。メモリーカード５９ａには、ユーザが所有する画像データが記憶されている。
【００２５】
ＮＦＣインターフェース５７は、ＭＦＰ２００のＮＦＣインターフェース３７と同様に、ＮＦＣ方式の無線通信を可能にするインターフェースである。また、無線ＬＡＮインターフェース５８は、ＭＦＰ２００の無線ＬＡＮインターフェース３８と同様に、Ｗｉ−Ｆｉ方式又はＷＦＤ方式の無線通信を可能にするインターフェースである。
【００２６】
モバイルデバイス１００のフラッシュメモリ５４には、ＯＳや、インターネット上のファイルを閲覧するためのブラウザ、各種のデバイスを制御するデバイスドライバ等が組み込まれている。また、フラッシュメモリ５４には、モバイルデバイス１００に関するＩＰアドレス及びユーザの個人情報を含む固有情報や、モバイルデバイス１００を機能させる各種アプリケーション（以下、アプリ）が記憶されている。この記憶されているアプリには、ＮＦＣインターフェース５７を用いてＮＦＣ方式のデータ通信を行うＮＦＣ通信プログラム５４ａ、無線ＬＡＮインターフェース５８を用いてＷｉ−Ｆｉ又はＷＦＤ方式の通信を行う無線ＬＡＮ通信プログラム５４ｂ、モバイルデバイス１００内に記憶されている画像データをＭＦＰ２００に印刷させる印刷ジョブを生成する印刷指示プログラム５４ｃ、及び、電話回線通信部６０を用いて公衆電話回線経由のデータ通信（第１代替通信）を行う電話回線通信プログラム５４ｄが含まれる。
【００２７】
印刷指示プログラム５４ｃは、ユーザによって選択された印刷対象の画像データに基づいて印刷データを生成する。そして、その印刷データの印刷をプリンタに実行させる印刷ジョブを生成し、モバイルデバイス１００のジョブキューに登録する。なお、印刷データの生成は、フラッシュメモリ５４に記憶されたプリンタドライバが行う。
【００２８】
また、印刷指示プログラム５４ｃは、代替サーバ情報を記憶している。代替サーバ情報は、モバイルデバイス１００からＭＦＰ２００に印刷ジョブを送信するときに用いることができるファイルサーバの情報である。印刷指示プログラム５４ｃは、固有情報に基づいてＷＦＤ方式の接続を許可されれば、無線ＬＡＮ通信プログラム５４ｂを介して、ＷＦＤ方式により、印刷ジョブをモバイルデバイス１００からＭＦＰ２００に送信することができる。印刷指示プログラム５４ｃは、ＷＦＤ方式の接続を許可されなかった場合、モバイルデバイス１００及びＭＦＰ２００が共通して接続可能な代替サーバを介して印刷ジョブの間接的な送信を行う。本実施形態においては、代替サーバ情報として、共有ファイルサーバ３００及び外部ファイルサーバ５００が記憶されている。印刷指示プログラム５４ｃは、固有情報に基づいてＷＦＤ方式の接続を許可されなかった場合、共有ファイルサーバ３００、外部ファイルサーバ５００の順に接続可能か否か、つまり、代替サーバとして利用可能か否かをＭＦＰ２００に問合せる。印刷指示プログラム５４ｃは、Ｗｉ−Ｆｉ方式により、先に接続可能となったファイルサーバを代替サーバとして決定し印刷ジョブを代替サーバにアップロードする。印刷指示プログラム５４ｃは、印刷ジョブをアップロードした際に、データをアップロードしたサーバから取得したＵＲＬを、ＮＦＣ方式によりＭＦＰ２００に送信する。ＭＦＰ２００は、無線ＬＡＮインターフェース３８又は有線ＬＡＮインターフェース３９を介し、取得したＵＲＬを用いて代替サーバにアクセスし、印刷ジョブをダウンロードする。いずれのファイルサーバも接続不可能だった場合は、エラー扱いとなり、印刷ジョブをクリアする。
【００２９】
ＣＰＵ５１は、ＲＯＭ５２から読み出した制御プログラムやフラッシュメモリ５４から読み出したプログラムに従って、その演算結果をＲＡＭ５３またはフラッシュメモリ５４に記憶させながら各種の処理を行う。上述したアプリの動作も、ＣＰＵ５１によって処理される。
【００３０】
［印刷指示プログラムの概要］
続いて、モバイルデバイス１００にインストールされた印刷指示プログラム５４ｃに従ってＣＰＵ５１が実行する処理ついて、図４を参照しつつ説明する。ＣＰＵ５１は、ユーザから印刷指示プログラム５４ｃの起動指示を受け付けると、印刷指示プログラム５４ｃを起動する。
【００３１】
ＣＰＵ５１は、初期画面としてメモリーカード５９ａに記憶された画像データ一覧を、ファイル名又はサムネイル画像で操作パネル５５に表示させ（Ｓ１０１）、画像データ一覧から印刷対象の画像データをユーザが選択する（Ｓ１０２：ＹＥＳ）。
【００３２】
印刷対象の画像データが選択されると、ＣＰＵ５１は、選択された画像データに基づいて印刷データを生成し、さらに、その印刷データの印刷をプリンタに実行させる印刷ジョブを生成してモバイルデバイス１００のジョブキューに登録する。これにより、モバイルデバイス１００は、ＭＦＰ２００への印刷ジョブの送信が可能な状態になる。
【００３３】
モバイルデバイス１００に印刷ジョブが登録された状態で、ユーザがそのモバイルデバイス１００をＭＦＰ２００のＮＦＣインターフェース３７にかざすことにより、ＭＦＰ２００がモバイルデバイス１００を検出し、モバイルデバイス１００とＭＦＰ２００との間で、ＮＦＣ方式による無線通信が確立する。ＣＰＵ５１は、ＮＦＣ方式による無線通信が確立したか否かを判断し（Ｓ１０３）、ＮＦＣ方式による無線通信が確立していなければ（Ｓ１０３：ＮＯ）、操作パネル５５に「かざして下さい」を表示させて、ユーザにモバイルデバイス１００をＭＦＰ２００のＮＦＣインターフェース３７にかざすことを促す（Ｓ１０４）。
【００３４】
ＣＰＵ５１は、ＮＦＣ方式による無線通信が確立すれば（Ｓ１０３：ＹＥＳ）、ＮＦＣ方式によって、モバイルデバイス１００からＭＦＰ２００に対してハンドオーバー要求を送信する（Ｓ１０５）。ハンドオーバー要求には、ＷＦＤ方式へのハンドオーバーの要求を示すコマンドの他、フラッシュメモリ５４に記憶された固有情報が付加される。また、必要に応じてグループ名を含めてもよい。そして、ＣＰＵ５１はハンドオーバー要求への応答として、ＭＦＰ２００からハンドオーバー要求応答を受信する（Ｓ１０６）
【００３５】
ＭＦＰ２００は、モバイルデバイス１００からハンドオーバー要求を受信すると、固有情報に基づいて接続可能か否かを判断する。例えば、ＭＦＰ２００が所属する部署について、ユーザが部外者であることを固有情報が示している場合は、制限対象となり接続不可と判断する。ＭＦＰ２００は、ＭＦＰ２００からモバイルデバイス１００に対してＷＦＤ方式による接続を許可するか否かを示すコマンドを含むハンドオーバー要求応答を送信する。ハンドオーバー要求応答は、ＮＦＣ方式によって送信される。ＷＦＤ方式による接続を許可した場合、ハンドオーバー要求応答には、ＷＦＤ方式へ接続を切り換えるために利用する情報であるＷＦＤ接続情報が含まれる。
【００３６】
ＣＰＵ５１は、ＭＦＰ２００から受信したハンドオーバー要求応答に含まれるコマンドに基づいてＷＦＤ方式による無線接続が可能か否かを判断する（Ｓ１０７）。ＣＰＵ５１は、ＷＦＤ方式による無線接続が可能と判断すれば（Ｓ１０７：ＹＥＳ）、ハンドオーバー要求応答に含まれるＷＦＤ接続情報を利用してＷＦＤ方式によるＭＦＰ２００との無線通信を確立させる（Ｓ１０８）。すなわち、ＮＦＣ方式による無線通信からＷＦＤ方式による無線通信へのハンドオーバーが実現され、データ通信を行う通信方式が切り換えられる。ＷＦＤ方式によるＭＦＰ２００との無線通信を確立させた後は、ＷＦＤ方式によって、モバイルデバイス１００に登録されている印刷ジョブをＭＦＰ２００に送信する（Ｓ１０９）。
【００３７】
ＭＦＰ２００は、印刷ジョブを受信すると、その印刷データの印刷を開始する。全ページの印刷が完了した後は、ＭＦＰ２００とのＷＦＤ方式の接続を切断する。これにより、一連の動作が正常に完了し、図４のフローチャートを終了する。一方、ＣＰＵ５１は、ＷＦＤ方式による無線接続が不可能と判断すれば（Ｓ１０７：ＮＯ）、印刷ジョブのＷＦＤ方式による送信に失敗した旨を操作パネル５５に表示し、ＮＦＣ方式による通信を一旦終了する。
【００３８】
そして、再度ＮＦＣ方式による通信を確立させるため、ＣＰＵ５１は、再びＮＦＣ方式による無線通信が確立したか否かを判断し（Ｓ１１０）、ＮＦＣ方式による無線通信が確立していなければ（Ｓ１１０：ＮＯ）、操作パネル５５に「かざして下さい」を表示させて、ユーザにモバイルデバイス１００をＭＦＰ２００のＮＦＣインターフェース３７にかざすことを促す（Ｓ１１１）。
【００３９】
ＣＰＵ５１は、ＮＦＣ方式による無線通信が確立すれば（Ｓ１１０：ＹＥＳ）、ＮＦＣ方式によって、記憶されている代替サーバ情報から優先度の高い代替サーバ情報を選択して、モバイルデバイス１００からＭＦＰ２００に送信する（Ｓ１１２）。なお、本実施形態においては、共有ファイルサーバ３００及び外部ファイルサーバ５００に関する代替サーバ情報が記憶されているが、共有ファイルサーバ３００、外部ファイルサーバ５００の順に優先度が低くなっている。したがって、最初は共有ファイルサーバ３００に関する代替サーバ情報がモバイルデバイス１００からＭＦＰ２００に送信される。ＭＦＰ２００は、受信した代替サーバ情報から得られる代替サーバに接続可能か否か判断し、接続可能であれば接続可能であることを示すコマンドを、接続不可能であれば接続不可能であることを示すコマンドを含む代替サーバ接続応答を、ＮＦＣ方式によって、モバイルデバイス１００に送信する。ＣＰＵ５１はＭＦＰ２００が送信した代替サーバ接続応答を受信する（Ｓ１１３）。
【００４０】
ＣＰＵ５１は、ＭＦＰ２００から受信した代替サーバ接続応答に含まれるコマンドに基づき、ＭＦＰ２００が代替サーバに接続可能か否かを判断する（Ｓ１１４）。ＣＰＵ５１は、接続可能と判断したとき（Ｓ１１４：ＹＥＳ）、当該代替サーバ情報に関する代替サーバに印刷ジョブをアップロードする（Ｓ１１５）。このとき、ＣＰＵ５１は、ＮＦＣ方式による通信を一旦終了し、印刷ジョブを共有ファイルサーバ３００にアップロードするときは、無線ＬＡＮ通信プログラムを用いたＷｉ−Ｆｉ方式により、ＬＡＮ経由で共有ファイルサーバ３００に接続し、印刷ジョブを外部ファイルサーバ５００にアップロードするときは、電話回線通信部６０により、公衆電話回線経由で外部ファイルサーバ５００に接続する。ＣＰＵ５１は印刷ジョブのアップロードが完了すると、アップロード先である共有ファイルサーバ３００又は外部ファイルサーバ５００より、アップロードした印刷ジョブを取得するためのＵＲＬを受信する。このＵＲＬは、ＣＰＵ５１が印刷ジョブをアップロードするときに接続した接続先とは異なる場合もある。その場合は、印刷ジョブのアップロードが完了してからＵＲＬが確定する。すなわち、ＵＲＬの取得はアップロード後にしかできない。
【００４１】
そして、印刷ジョブのアップロードが完了した後に、再度ＮＦＣ方式による通信を確立させるため、ＣＰＵ５１は、再びＮＦＣ方式による無線通信が確立したか否かを判断し（Ｓ１１６）、ＮＦＣ方式による無線通信が確立していなければ（Ｓ１１６：ＮＯ）、操作パネル５５に「かざして下さい」を表示させて、ユーザにモバイルデバイス１００をＭＦＰ２００のＮＦＣインターフェース３７にかざすことを促す（Ｓ１１７）。ＣＰＵ５１は、ＮＦＣ方式による無線通信が確立すれば（Ｓ１１６：ＹＥＳ）、ＮＦＣ方式によって、印刷ジョブのアップロードが完了したときに取得するＵＲＬをＭＦＰ２００に送信する（Ｓ１１８）。ＭＦＰ２００は、印刷ジョブを受信すると、その印刷データの印刷を開始する。全ページの印刷が完了した後は、ＭＦＰ２００からモバイルデバイス１００に対して印刷完了応答が送信される。以上で、図４のフローチャートを終了する。
【００４２】
一方、受信した代替サーバ接続応答に含まれるコマンドに基づき、ＣＰＵ５１は、ＮＧを受信したと判断したとき（Ｓ１１４：ＹＥＳ）、先に問合せした代替サーバよりも優先度の低い次の代替サーバがあるか否かを判断する（Ｓ１１９）。次の代替サーバがあれば（Ｓ１１９：ＮＯ）、Ｓ１１０に戻って、上述の処理を繰り返す。次の代替サーバがなければ（Ｓ１１９：ＹＥＳ）、ＣＰＵ５１は、ＭＦＰ２００に代替サーバがないことを示すコマンドを含む終了要求を送信すると共に操作パネル５５にエラー表示させる（Ｓ１２０）。以上で、図４のフローチャートを終了する。
【００４３】
［印刷処理］
モバイルデバイス１００に印刷ジョブが登録された状態で、モバイルデバイス１００とＭＦＰ２００との間でＮＦＣ方式の無線通信が確立したときからのＭＦＰ２００におけるＣＰＵ３１が実行する印刷処理について、図５を参照しつつ説明する。図５に示すように、ＮＦＣ方式の無線通信が確立すると、ＣＰＵ３１は、ＮＦＣ方式によって、モバイルデバイス１００からＭＦＰ２００に対して送信されたハンドオーバー要求を受信する（Ｓ２０１）。ＣＰＵ３１は、モバイルデバイス１００からハンドオーバー要求を受信すると、固有情報に基づいて接続可能か否かを判断する（Ｓ２０２）。例えば、ＭＦＰ２００が所属する部署について、ユーザが部外者であることを固有情報が示している場合は、制限対象となり接続不可と判断する。ＣＰＵ３１は、ＷＦＤ方式による接続が可能と判断した場合は（Ｓ２０２：ＹＥＳ）、ＷＦＤによる接続を許可するコマンド及び前述したＷＦＤ接続情報を含むハンドオーバー要求応答を送信する（Ｓ２０３）。そして、ＣＰＵ３１は、モバイルデバイス１００との間で、ＷＦＤ方式による無線通信を確立させ（Ｓ２０４）、モバイルデバイス１００から送信される印刷ジョブを受信する（Ｓ２０５）。ＣＰＵ３１は、印刷ジョブを受信すると、その印刷データの印刷を開始する（Ｓ２０６）。全ページの印刷が完了した後は、ＭＦＰ２００とのＷＦＤ方式の接続を切断する。これにより、一連の動作が正常に完了し、図５のフローチャートを終了する。
【００４４】
一方、ＭＦＰ２００は、ＷＦＤ方式による接続が不可能と判断した場合は（Ｓ２０２：ＮＯ）、ＮＦＣ方式によって、ＷＦＤによる接続を許可しないコマンドを含むハンドオーバー要求応答をモバイルデバイス１００に送信する（Ｓ２０７）。その後、ＮＦＣ方式による通信を一旦終了し、そして、再度ＮＦＣ方式による通信を確立させるため、ＮＦＣ方式による無線通信が確立したか否かを判断し（Ｓ２０８）、ＮＦＣ方式による無線通信が確立していなければ（Ｓ２０８：ＮＯ）、操作パネル４０に「かざして下さい」を表示させて、ユーザにモバイルデバイス１００をＭＦＰ２００のＮＦＣインターフェース３７にかざすことを促す（Ｓ２０９）。
【００４５】
ＭＦＰ２００は、ＮＦＣ方式による無線通信が確立すれば（Ｓ２０８：ＹＥＳ）、ＮＦＣ方式によって、モバイルデバイス１００から送信された代替サーバ情報を受信する（Ｓ２１０）。ＭＦＰ２００は、受信した代替サーバ情報から得られる代替サーバに接続可能か否か判断する（Ｓ２１１）。ＭＦＰ２００は、接続可能と判断すれば（Ｓ２１１：ＹＥＳ）、ＮＦＣ方式によって、代替サーバに接続可能であることを示すコマンドを含む代替サーバ接続応答をモバイルデバイス１００に送信する（Ｓ２１２）。その後、ＮＦＣ方式による通信を一旦終了し、そして、再度ＮＦＣ方式による通信を確立させるため、ＮＦＣ方式による無線通信が確立したか否かを判断し（Ｓ２１３）、ＮＦＣ方式による無線通信が確立していなければ（Ｓ２１３：ＮＯ）、操作パネル４０に「かざして下さい」を表示させて、ユーザにモバイルデバイス１００をＭＦＰ２００のＮＦＣインターフェース３７にかざすことを促す（Ｓ２１４）。
【００４６】
ＭＦＰ２００は、ＮＦＣ方式による無線通信が確立すれば（Ｓ２１３：ＹＥＳ）、ＮＦＣ方式によって、モバイルデバイス１００から送信された印刷ジョブを取得するためのＵＲＬを受信し、無線ＬＡＮインターフェース３８又は有線ＬＡＮインターフェースを介して、受信したＵＲＬの印刷ジョブをダウンロードする（Ｓ２１５）。ＭＦＰ２００は、印刷ジョブをダウンロードすると、その印刷データの印刷を開始する（Ｓ２０６）。全ページの印刷が完了した後は、ＭＦＰ２００とのＷＦＤ方式の接続を切断する。これにより、一連の動作が正常に完了し、図５のフローチャートを終了する。
【００４７】
ＭＦＰ２００は、受信した代替サーバ情報から得られる代替サーバに接続不可能と判断すれば（Ｓ２１１：ＮＯ）、ＮＦＣ方式によって、モバイルデバイス１００に代替サーバへ接続不可能であることを示すコマンドを含む代替サーバ接続応答を送信する（Ｓ２１６）。その後、ＮＦＣ方式によって、モバイルデバイス１００から送信された終了要求を受信したか否かを判断する（Ｓ２１７）。ＭＦＰ２００は、終了要求を受信しない、すなわち、次の代替サーバ情報があると判断すれば（Ｓ２１７：ＮＯ）、一旦、ＮＦＣ方式による通信を一旦終了し、Ｓ２０７以下の処理を再び実行する。ＭＦＰ２００は、終了要求を受信したと判断すれば（Ｓ２１７：ＹＥＳ）、印刷処理を中断し、図５のフローチャートを終了する。
【００４８】
［装置間のデータ通信手順］
図６、図７を参照しつつ、モバイルデバイス１００とＭＦＰ２００との間におけるデータ通信手順について説明する。図６に示すように、モバイルデバイス１００において、印刷指示プログラム５４ｃを起動し、画像データ一覧から印刷対象の画像データをユーザが選択して印刷ジョブを登録した後に、ユーザがそのモバイルデバイス１００をＭＦＰ２００のＮＦＣインターフェース３７にかざすことにより、ＮＦＣ方式による無線通信が確立する。そして、モバイルデバイス１００は、ＮＦＣ方式によって、ＭＦＰ２００に対してハンドオーバー要求を送信する。ハンドオーバー要求を受信したＭＦＰ２００は、ＷＦＤ方式による接続が許可されれば、ＮＦＣ方式により、モバイルデバイス１００にＷＦＤ接続情報が付加されたハンドオーバー要求応答を送信する。モバイルデバイス１００が、ＷＦＤ接続情報が付加されたハンドオーバー接続応答を受信することで、モバイルデバイス１００とＭＦＰ２００との間でＮＦＣ方式により接続情報が送受信され、ＷＦＤ方式による無線通信が確立する。その後、モバイルデバイス１００が、ＷＦＤ方式により、印刷ジョブをＭＦＰ２００に送信する。印刷ジョブを受信したＭＦＰは、印刷ジョブに基づいて印刷を実行する。
【００４９】
また、図７に示すように、先の例と同様に、ハンドオーバー要求を受信したＭＦＰ２００は、ＷＦＤ方式による接続が許可されなければ、ＮＦＣ方式により、モバイルデバイス１００にＷＦＤによる接続を許可しないコマンドを含むハンドオーバー要求応答を送信する。ＷＦＤによる接続を許可しないコマンドを含むハンドオーバー要求応答を受信したモバイルデバイス１００が、記憶されている代替サーバ情報から優先度の高い代替サーバ情報（１）を選択して、ＮＦＣ方式によって、ＭＦＰ２００に送信する。代替サーバ情報（１）を受信したＭＦＰ２００は、代替サーバ情報（１）に関する代替サーバに接続可能であるか否かを判断し、接続不可能と判断すれば、ＮＦＣ方式で、モバイルデバイス１００に接続不可能であることを示すコマンドを含む代替サーバ接続応答を送信する。接続不可能であることを示すコマンドを含む代替サーバ接続応答を受信したモバイルデバイス１００は、次に優先度の高い代替サーバ情報（２）をＭＦＰ２００に送信する。代替サーバ情報（２）を受信したＭＦＰ２００は、代替サーバ情報（２）に関する代替サーバに接続可能であるか否かを判断し、接続可能と判断すれば、ＮＦＣ方式で、モバイルデバイス１００に接続可能であることを示すコマンドを含む代替サーバ接続応答を送信する。接続可能であることを示すコマンドを含む代替サーバ接続応答を受信したモバイルデバイス１００は、印刷ジョブを代替サーバ（２）にアップロードし、アップロードした際に得た印刷ジョブを示すＵＲＬを、ＮＦＣ方式で、ＭＦＰ２００に送信する。ＵＲＬを受信したＭＦＰ２００は、ＵＲＬに基づいて印刷ジョブをダウンロードし、ダウンロードした印刷ジョブにしたがって印刷を実行する。
【００５０】
以上、詳細に説明したように本実施形態の画像処理システム９００によると、特定の固有情報を記憶しているモバイルデバイス１００にのみ、ＭＦＰ２００の接続情報を開示してＷＦＤ方式の通信を行うため、ＭＦＰ２００が接続されたネットワークのセキュリティが低下するのを抑制することができる。
【００５１】
また、モバイルデバイス１００が代替サーバ情報をＭＦＰ２００に送信し、ＭＦＰ２００が当該代替サーバに接続可能か否かをモバイルデバイス１００に送信し、モバイルデバイス１００はＭＦＰ２００が接続可能な代替サーバを介して印刷ジョブの受け渡しを行うため、印刷ジョブを確実にモバイルデバイス１００からＭＦＰ２００に送信することができる。
【００５２】
モバイルデバイス１００は、印刷ジョブを代替サーバにアップロードした後に取得したＵＲＬをＭＦＰ２００に送信するため、ＵＲＬがアップロード後のみに取得することができるサーバにも対応することができる。さらに、モバイルデバイス１００はＵＲＬの送信をＮＦＣにより行うため、ＭＦＰ２００がモバイルデバイス１００とＷＦＤ接続できないと判断した場合でも、ＵＲＬをＭＦＰへ送信することができる。
【００５３】
モバイルデバイス１００が電話回線通信部６０を有しているため、公衆電話回線を使用して代替サーバに接続することができ、対応可能な代替サーバの数を大きくすることができる。
【００５４】
なお、本実施の形態は単なる例示にすぎず、本発明を何ら限定するものではない。したがって本発明は当然に、その要旨を逸脱しない範囲内で種々の改良、変形が可能である。例えば、上述の実施形態では、モバイルデバイス１００が代替サーバ情報を記憶し、選択された代替サーバに接続可能か否かをＭＦＰ２００に問合せる構成であるが、ＭＦＰが代替サーバ情報を記憶し、選択された代替サーバに接続可能か否かをモバイルデバイスに問合せる構成でする構成であってもよい。
【００５５】
さらに、印刷ジョブを入力する携帯端末は、無線通信が可能であり、画像処理装置を制御する機能を備えるものであればよく、モバイルデバイス１００としては、スマートフォン、タブレットＰＣ等が適用可能である。また、画像処理装置は、画像処理機能を備えるものであればよく、ＭＦＰ２００の他、コピー機、プリンタ、スキャナ、ＦＡＸ装置であってもよい。また、モバイルデバイス１００は、外部ファイルサーバ５００と、無線ＬＡＮ  Ｉ／ＦによりＷｉ−Ｆｉ方式の無線通信で接続してもよい。モバイルデバイス１００がＭＦＰ２００が接続しているＬＡＮ内のルーター６００に接続できないときは、公衆無線ＬＡＮ回線経由で外部ファイルサーバ５００と接続すればよい。  
【００５６】
また、上述の実施形態では、近距離通信としてＮＦＣ方式を、遠距離通信としてＷＦＤ方式を採用し、ＮＦＣ方式からＷＦＤ方式へのハンドオーバーを行っているが、ハンドオーバーを実現する通信方式はこれらに限るものではない。すなわち、通信距離が異なる２つの通信方式であればよく、他の通信方式としては、例えば、Bluetooth（登録商標）、TransferJet、アクセスポイント経由で通信を行う非ダイレクトのＷｉＦｉ（登録商標）であってもよい。
【００５７】
また、上述の実施形態に開示されている処理は、単一のＣＰＵ、複数のＣＰＵ、ＡＳＩＣなどのハードウェア、またはそれらの組み合わせで実行されてもよい。また、実施の形態に開示されている処理は、その処理を実行するためのプログラムを記録した記録媒体、または方法等の種々の態様で実現することができる。また、携帯端末において、画像データと携帯端末に係る固有情報は、同一のメモリに記憶されていても良い。また、上述の実施形態では、代替サーバへ印刷ジョブをアップロードしていたが、画像データをアップロードする構成としてもよい。
【符号の説明】
【００５８】
３４、５４  フラッシュメモリ
３７、５８  ＮＦＣ  ＩＦ
３８、５８  無線ＬＡＮインターフェース
１００  モバイルデバイス
２００  ＭＦＰ
３００  共有ファイルサーバ
４００  ファイヤーウォール
５００  外部ファイルサーバ
９００  画像処理システム
【図１】
2014149666.tif 000003
【図２】
2014149666.tif 000004
【図３】
2014149666.tif 000005
【図４】
2014149666.tif 000006
【図５】
2014149666.tif 000007
【図６】
2014149666.tif 000008
【図７】
2014149666.tif 000009